(57)【特許請求の範囲】
【請求項１】
高周波発振装置と、シーズヒータよりなる電熱装置を上下に備えた加熱室と、前記上下のシーズヒータ間に被加熱物を載置する焼き網と、前記加熱室側壁に前記焼き網を出入可能に載置するレール部と、前記加熱室底面に被加熱物より生ずる水分、油及び食品カス等を受ける汁受け皿とを備えた電熱加熱装置であって、前記加熱室奥壁に設けたヒータ受け部に差し込み、着脱自在とした下部シーズヒータと、前記加熱室両側壁に着脱自在とした磁器よりなるレール部とを備え、前記加熱室両側壁のレール部に、磁器よりなるパイプを装着した線材を支承させたヒータ支持部材を着脱自在とした電熱加熱装置。
【請求項２】
高周波発振装置と、シーズヒータよりなる電熱装置を上下に備えた加熱室と、前記上下のシーズヒータ間に被加熱物を載置する焼き網と、前記加熱室側壁に前記焼き網を出入可能に載置するレール部と、前記加熱室底面に被加熱物より生ずる水分、油及び食品カス等を受ける汁受け皿とを備えた電熱加熱装置であって、前記加熱室側壁に設けたヒータ受け部に固定された下部シーズヒータと、前記ヒータ受け部と対向する側の加熱室側壁に磁器よりなるパイプを備えた線材を固定し、当該線材のパイプで前記下部シーズヒータの先端部（固定部の対称端）を支持させた電熱加熱装置。
【発明の詳細な説明】
【０００１】
【発明の属する技術分野】
本発明は電熱加熱装置、特に高周波発振装置付き電熱加熱装置のヒータ支持方法に関する。
【０００２】
【従来の技術】
一般にシーズヒータよりなる電熱装置は、片方端に電極を有する端子部を有しこの端子部側で加熱室壁面に固定され、その他方端は加熱時の膨脹及び軟化等により生ずる垂れ下がり防止のため自由に支持する必要がある。
【０００３】
従来この種の電熱加熱装置は図５に示すように、高周波発振装置１を設け高周波を加熱室３に導く導波管２を備え、加熱室３に上ヒータ４を上ヒータ４と一体に設けられたフランジ６で加熱室３の側壁に固定し、先端部は加熱室３の上壁に設けた上ヒータ支持材５で支持して取り付けられる。下ヒータ７は加熱室３の下側に前記同様にフランジ６で加熱室３に固定され、下ヒータ支持材１１で支持して取り付けられる。被加熱物１２を置く焼き網９は加熱室３の両サイドに設け、被加熱物１２ごと出入可能としたレール１０上で支持される。加熱室３の底面部には調理加熱時に被加熱物１２より生ずる水分、油及び食品カス等を受ける汁受け皿１１を設けたものである。
【０００４】
図６図７は、他の従来の例で、加熱室３の底面部に前記汁受け皿１１がない場合は磁器にする方法が考えられるが、一般に加熱室３の側壁とヒータ７間は寸法的に距離があり強度的に困難がある。またシーズヒータ７の金属被覆と金属よりなる支持材８とを溶接などを施し一体化することでスパーク防止とすることができるが支持材８と一体化したヒータユニットの取り付け、取り外しは極めて困難で実施できない等の課題を有していた。スパークは使用者に不安を与えるだけでなく、特にヒータと周辺金属とのスパークはヒータ被覆材（シーズヒータの場合は金属管）の表面に穴をあけ、ヒータ寿命を著しく損ない、漏電や感電事故等、重大な問題の可能性があるため、絶対に避けねばならない重要な課題である。
【０００５】
【課題を解決するための手段】
本発明は、上記課題を解決するために着脱自在とした下部シーズヒータと、加熱室両側壁に設け着脱自在とした磁器よりなるレール部に、磁器よりなるパイプを装着した線材を支承させて支持部材を着脱自在としたものである。
【０００６】
上記発明によれば、線材に磁器よりなるパイプを装着したヒータ支持部材を、着脱自在に支承させたため、加熱室底面に設けた汁受け皿の出し入れの障害にならず、また磁器よりなるパイプ部にて下部シーズヒータを支持するためヒータと支持部材間でスパークが生じることもなく、下部シーズヒータを着脱自在としたことも合わせて、ヒータの取り付け、取り外しにも支障のないヒータ支持構成とすることができる。
【０００７】
【発明の実施の形態】
第１の実施形態は、高周波発振装置と、シーズヒータよりなる電熱装置を上下に備えた加熱室と、前記上下のシーズヒータ間に被加熱物を載置する焼き網と、前記加熱室側壁に前記焼き網を出入可能に載置するレール部と、前記加熱室底面に被加熱物より生ずる水分、油及び食品カス等を受ける汁受け皿とを備えた電熱加熱装置であって、前記加熱室奥壁に設けたヒータ受け部に差し込み、着脱自在とした下部シーズヒータと、前記加熱室両側壁に着脱自在とした磁器よりなるレール部とを備え、前記加熱室両側壁のレール部に、磁器よりなるパイプを装着した線材を支承させたヒータ支持部材を着脱自在としたものである。
【０００８】
このような構成とすると、下部シーズヒータの支持を、線材に磁器よりなるパイプを装着したヒータ支持部材を、加熱室両側壁に設けた磁器よりなるレール部に着脱自在に係合させたため、加熱室底面に設けた汁受け皿の出し入れの障害にならず、また磁器よりなるパイプ部にて下部シーズヒータを支持するためヒータと支持部材間でスパークが生じることもなく、下部シーズヒータを着脱自在としたことも合わせて、ヒータの取り付け取り外しにも支障のないヒータ支持構成とすることができる。
【０００９】
また第２の実施形態は、高周波発振装置と、シーズヒータよりなる電熱装置を上下に備えた加熱室と、前記上下のシーズヒータ間に被加熱物を載置する焼き網と、前記加熱室側壁に前記焼き網を出入可能に載置するレール部と、前記加熱室底面に被加熱物より生ずる水分、油及び食品カス等を受ける汁受け皿とを備えた電熱加熱装置であって、前記加熱室側壁に設けたヒータ受け部に固定された下部シーズヒータと、前記ヒータ受け部と対向する側の加熱室側壁に磁器よりなるパイプを備えた線材を固定し、当該線材のパイプで前記下部シーズヒータの先端部（固定部の対称端）を支持させたものである。
【００１０】
このような構成とすると、線材に磁器よりなるパイプを装着したヒータ支持部材を側壁に固定したため、加熱室底面設けた汁受け皿の出し入れの障害にならず、また磁器よりなるパイプ部にて下部シーズヒータを支持するためヒータと支持部材間でスパークが生じることもなく、ヒータの取り付け、取り外しにも支障のないヒータ支持構成とすることができる。
【００１１】
【実施例】
以下、本発明の実施例について図面を用いて説明する。
【００１２】
（実施例１）
図１は本発明の実施例１の電熱加熱装置の構成図である。また図２は実施例１の電熱加熱装置の要部斜視図である。
【００１３】
図において、１は高周波発振装置で、発振した高周波は導波管２を通じて加熱室３に導かれる。加熱室３には上部に上ヒータ４が加熱室３の奥壁部にフランジ６で固定され、先端部は加熱室３の上壁に設けた上ヒータ支持材５で支持して取り付けられ、上ヒータ４と下ヒータ１５との間には被加熱物１２を載置する焼き網９を出入可能に支持する磁器よりなるレール１７を、加熱室３の両側壁に着脱自在に設け、下ヒータ１５の下に位置し、加熱室３の底面に設けた汁受け皿１１を設けるものである。なお、上ヒータ４は従来例と同様に加熱室３の側壁部にフランジ６で固定しても良い。下ヒーター１５は、加熱室３の奥壁部に設けたヒータ受け部１６に着脱自在に差し込む構成とし、その先端部は加熱室３の開口部(手前側)側に臨ませ、前記レールに一体に設けた係合部１８に支承し着脱自在と
した線材１９に磁器よりなるパイプ２０を貫通して設けた構成の下ヒータ支持部材にて支持するものである。
【００１４】
なお、前記汁受け皿は磁器製またはホーロー処理等で電気的に絶縁体または同等の絶縁被膜処理を行ったもので構成すべきことは言うまでもない。
【００１５】
また、下ヒータの着脱構成は本発明要件と直接関係ないため詳細は省略する。
【００１６】
（実施例２）
図３は本発明の実施例２の電熱加熱装置の構成図である。また図４は本発明の実施例２の電熱加熱装置の要部斜視図である。実施例１と同符号は同一機能のための説明を省略する。
【００１７】
図において、実施例１と異なる点は下ヒーター１５は、フランジ２１で加熱室３の側壁に固定され、その先端部は磁器よりなるパイプ２０を備えた線材１９のパイプ２０部で支持され、線材１９は加熱室３の側壁にナット２２で固定される。なお、レール１７および汁受け皿１１は磁器製またはホーロー処理等で電気的に絶縁体または同等の絶縁被膜処理を行ったもので構成すべきことは言うまでもない。
【００１８】
【発明の効果】
以上のように本発明の請求項１によれば、下部シーズヒータの先端部の支持を、線材に磁器よりなるパイプを装着したヒータ支持部材を、加熱室両側壁に設けた磁器よりなるレール部に着脱自在に支承させたため、また、請求項２ではヒータ支持部材を加熱室側壁に固定したため、加熱室底面に設けた汁受け皿の出し入れの障害にならず、また磁器よりなるパイプ部にて下部シーズヒータを支持するためヒータと支持部材間でスパークが生じることもなく、下部シーズヒータを着脱自在としたことも合わせて、ヒータの取り付け取り外しにも支障のないヒータ支持構成を取ることができる。
【図面の簡単な説明】
【図１】  本発明の実施例１の電熱加熱装置の構成図
【図２】  同電熱加熱装置の要部斜視図
【図３】  本発明の実施例２の電熱加熱装置の構成図
【図４】  同電熱加熱装置の要部斜視図
【図５】  従来例の電熱加熱装置の構成図
【図６】  従来例２の要部断面図
【図７】  従来例３の要部断面図
【符号の説明】
１  高周波発振装置
３  加熱室
４  上ヒータ（上シーズヒータ）
５  上ヒータ支持部材
９  焼き網
１１  汁受け皿
１５  下ヒータ（下シーズヒータ）
１７  レール
１９  線材
２０  磁器よりなるパイプ
【図１】
0003928262.tif 000002
【図２】
0003928262.tif 000003
【図３】
0003928262.tif 000004
【図４】
0003928262.tif 000005
【図５】
0003928262.tif 000006
【図６】
0003928262.tif 000007
【図７】
0003928262.tif 000008